(57)【要約】  利用者に関連する情報を利用者側で管理することにより、利用者関連情報の流出の危険性を最小限に低減しつつ、その利用者に特化された最適なサービス情報等を取得することのできる情報取得方法、情報取得システム及び情報取得プログラムを提供すること。  この情報取得方法は、利用者Ｕによるニュース配信サーバ２へのアクセスに基づきニュース配信サーバ２より送出されると共に広告提供サーバ４を指標するサーバ指標情報１２を、ニュース配信サーバ２から取得するステップと、サーバ指標情報１２に基づき、広告提供サーバ４に向けて利用者関連情報１４を送出するステップと、利用者関連情報１４に基づき広告提供サーバ４において抽出された広告情報１６ａ〜１６ｃを、ニュース配信サーバ２又は広告提供サーバ４から取得するステップとを有する。
2009057215.tif 000002
【特許請求の範囲】
【請求項１】
利用者による第１のサーバへのアクセスに基づき該第１のサーバより送出されると共に該第１のサーバとは異なる第２のサーバを指標するサーバ指標情報を、該第１のサーバから取得するステップと、
該サーバ指標情報に基づき、前記第２のサーバに向けて前記利用者に関連する利用者関連情報を送出するステップと、
該利用者関連情報に基づき前記第２のサーバにおいて該利用者に特化して抽出された利用者特化情報を、前記第１のサーバ又は前記第２のサーバから取得するステップと、を有する情報取得方法。
【請求項２】
前記利用者による前記第１のサーバへのアクセスに基づき該第１のサーバより送出されるコンテンツ情報を取得するステップと、
該取得したコンテンツ情報と前記取得した利用者特化情報とを合成するステップと、を更に有する請求項１に記載の情報取得方法。
【請求項３】
利用者による第１のサーバへのアクセスに基づき該第１のサーバより送出されると共に該第１のサーバとは異なる第３のサーバを指標する他のサーバ指標情報を、該第１のサーバから取得するステップと、
該他のサーバ指標情報に基づき、前記第３のサーバに向けて前記利用者関連情報又は該利用者関連情報とは異なる他の利用者関連情報を送出するステップと、
該利用者関連情報に基づき前記第３のサーバにおいて該利用者に特化して抽出された前記利用者特化情報とは異なる他の利用者特化情報を、前記第１のサーバ又は前記第３のサーバから取得するステップと、
前記コンテンツ情報と前記利用者特化情報と該取得した他の利用者特化情報とを合成するステップと、を更に有する請求項２に記載の情報取得方法。
【請求項４】
前記利用者関連情報が、前記利用者により指定された位置情報である請求項１に記載の情報取得方法。
【請求項５】
利用者による第１のサーバへのアクセスに基づき該第１のサーバより送出されると共に該第１のサーバとは異なる第２のサーバを指標するサーバ指標情報を、該第１のサーバから取得するサーバ指標情報取得部と、
該サーバ指標情報に基づき、前記第２のサーバに向けて前記利用者に関連する利用者関連情報を送出する利用者関連情報送出部と、
該利用者関連情報に基づき前記第２のサーバにおいて該利用者に特化して抽出された利用者特化情報を、前記第１のサーバ又は前記第２のサーバから取得する利用者特化情報取得部と、を有する情報取得システム。
【請求項６】
前記利用者による前記第１のサーバへのアクセスに基づき該第１のサーバより送出されるコンテンツ情報を取得するコンテンツ情報取得部と、
該取得したコンテンツ情報と前記取得した利用者特化情報とを合成する情報合成部と、を更に有する請求項５に記載の情報取得システム。
【請求項７】
コンピュータを、
利用者による第１のサーバへのアクセスに基づき該第１のサーバより送出されると共に該第１のサーバとは異なる第２のサーバを指標するサーバ指標情報を、該第１のサーバから取得するサーバ指標情報取得部、
該サーバ指標情報に基づき、前記第２のサーバに向けて前記利用者に関連する利用者関連情報を送出する利用者関連情報送出部、及び、
該利用者関連情報に基づき前記第２のサーバにおいて該利用者に特化して抽出された利用者特化情報を、前記第１のサーバ又は前記第２のサーバから取得する利用者特化情報取得部、として機能させる情報取得プログラム。
【請求項８】
コンピュータを、
前記利用者による前記第１のサーバへのアクセスに基づき該第１のサーバより送出されるコンテンツ情報を取得するコンテンツ情報取得部、及び、
該取得したコンテンツ情報と前記取得した利用者特化情報とを合成する情報合成部、として更に機能させる請求項７に記載の情報取得プログラム。
【発明の詳細な説明】
【技術分野】
【０００１】
本発明は、情報取得方法、情報取得システム及び情報取得プログラムに係り、特に、利用者に関連する情報を利用者側で管理しつつ、利用者用に特化された最適なサービス情報を取得することのできる情報取得方法等に関する。
【背景技術】
【０００２】
近年、インターネット等の通信網を利用した様々なサービスが展開されている。例えば、インターネット接続が可能とされたコンピュータや携帯電話機等の通信端末に向けたニュース配信等のサービスが行われている。利用者は、通信端末を利用して最新のニュース情報を得ることができるので、このようなサービスは大変便利である。【０００３】
そのニュース配信の際に、併せて広告情報を配信するサービスも行われている。例えば、その広告情報配信サービスは、ニュース情報の表示枠と別に区分された広告表示枠に、バナー画像等を利用して構成された広告情報を表示するものである。この広告情報配信サービスによれば、利用者が通信端末でニュース情報を閲覧する際に、同時にその広告情報が提供されるようになっている。【０００４】
そして、より一層の広告効果向上のため、換言すれば、利用者がより一層広告情報に興味を持つように、最近では、利用者の特性に合わせた広告情報を選別して提供するサービスも行われている。例えば、このサービスは、利用者の個人情報や嗜好に関する情報に基づいて、多数の広告情報の中から利用者に適した広告情報を選別して利用者の通信端末に表示させるのである。また、利用者の現在位置情報に基づいて、多数の広告情報の中から利用者の近隣に所在する店舗の広告情報を選別して利用者の通信端末に表示させるのである。【０００５】
一方、インターネットを利用した商品販売サービスも提供されている。例えば、このサービスでは、商品販売サイトに利用者が予め住所、氏名、クレジットカード情報等の個人情報を登録しておけば、通信端末によって商品販売サイトにアクセスして購入商品を選択するだけで、登録されたクレジットカード情報によって決済が行われ、登録された住所に商品が配送されるのである。【０００６】
また、このような、商品販売サイトでは、利用者が過去に購入した商品の購入履歴を管理し、様々な付加的なサービスを提供することも行われている（例えば、特許文献１を参照。）。例えば、購入履歴に基づいて利用者の嗜好を推測し、利用者に適した商品情報を選別して「お奨め商品情報」として利用者に提供することが行われている。【０００７】
このように、近年ではインターネットを利用した様々なサービスが提供されており、利用者は便利に広告情報や商品情報を受け取ることができるようになってきている。そして、それらのサービスを利用者により一層最適化するために、利用者の個人情報に基づいて情報を選別することが行われている。なお、利用者の個人情報は、一般に、サービスの提供側が管理している。例えば特許文献２には、利用者の個人情報を事業者サーバが個人情報テーブルとして格納する構成が開示されている。【０００８】
【特許文献１】特開２００２−００７６７９号公報
【特許文献２】特開２００４−０８６６０１号公報
【発明の開示】
【発明が解決しようとする課題】
【０００９】
しかし、利用者の個人情報が利用者側でなく、外部（例えば、サービス提供者側。）で管理される構成においては幾つかの不都合を生じる。例えば、サービス提供者側の情報管理体制に不備があると、サービス提供者側から利用者の個人情報等が流出してしまう可能性があるという問題がある。【００１０】
また、一のサービス提供者が管理する個人情報と他のサービス提供者が管理する個人情報との整合を取り難いという問題もある。例えば、一のサービス提供者に利用者の氏名と住所の情報が管理され、他のサービス提供者に利用者の氏名と年齢・性別の情報が管理されている場合、いずれのサービス提供者も利用者の氏名・住所・年齢・性別等の多くの個人情報を把握することができない場合がある。結果的に、いずれのサービス提供者も、多くの個人情報を利用することによって利用者に特化した最適なサービスを提供することが困難となっている。その場合において、一のサービス提供者が他のサービス提供者に、利用者の承諾なく利用者の個人情報を提供することは道義上好ましくない。【００１１】
本発明は、上記の事情に鑑みて為されたもので、利用者に関連する情報を利用者側で管理することにより、利用者関連情報の流出の危険性を最小限に低減しつつ、その利用者に特化された最適なサービス情報等を取得することのできる情報取得方法、情報取得システム及び情報取得プログラムを提供することを例示的課題とする。
【課題を解決するための手段】
【００１２】
上記の課題を解決するために、本発明の例示的側面としての情報取得方法は、利用者による第１のサーバへのアクセスに基づき第１のサーバより送出されると共に第１のサーバとは異なる第２のサーバを指標するサーバ指標情報を、第１のサーバから取得するステップと、サーバ指標情報に基づき、第２のサーバに向けて利用者に関連する利用者関連情報を送出するステップと、利用者関連情報に基づき第２のサーバにおいて利用者に特化して抽出された利用者特化情報を、第１のサーバ又は第２のサーバから取得するステップとを有する。【００１３】
サーバ指標情報に基づき第２のサーバに向けて利用者関連情報を送出し、その利用者関連情報に基づき抽出された利用者特化情報を第１又は第２のサーバから取得するので、利用者側で個人情報等の利用者関連情報を管理しつつ外部（第１のサーバ又は第２のサーバ。）側から利用者特化情報を受け取ることができる。外部側で利用者関連情報を管理しないで済むので、利用者関連情報の管理を利用者側で適正に行うことができる。その上、外部側から利用者に最適な情報を受け取ることもできる。【００１４】
ここで、利用者関連情報は、例えば住所、氏名、年齢、性別等の個人情報の他、クレジットカード情報等の決済情報、購入履歴、趣味、現在位置等の利用者に関連する様々な情報を含む。また、利用者特化情報は、利用者が第２のサーバから直接取得する場合もあるが、第２のサーバから第１のサーバへ利用者特化情報が送出され、その第１のサーバから利用者が取得する場合もある。【００１５】
利用者による第１のサーバへのアクセスに基づき第１のサーバより送出されるコンテンツ情報を取得するステップと、取得したコンテンツ情報と取得した利用者特化情報とを合成するステップとを更に有してもよい。【００１６】
第１のサーバからのコンテンツ情報と利用者特化情報とを合成するので、例えば、利用者が使用する通信端末の表示画面等にコンテンツ情報と利用者特化情報とを同時的に混在表示させることができる。例えば、第１のサーバがニュース配信サーバ、コンテンツ情報がニュース情報であり、利用者特化情報が、利用者関連情報に基づいて抽出された広告情報である場合、通信端末の表示画面に利用者に最適な広告情報とニュース記事とを混在表示させることができる。【００１７】
第１のサーバへ利用者特化情報を送出することなく、利用者に最適な利用者特化情報とコンテンツ情報とを合成して表示させることができる。したがって、第１のサーバから利用者関連情報が流出する虞がない。【００１８】
利用者による第１のサーバへのアクセスに基づき第１のサーバより送出されると共に第１のサーバとは異なる第３のサーバを指標する他のサーバ指標情報を、第１のサーバから取得するステップと、他のサーバ指標情報に基づき、第３のサーバに向けて利用者関連情報又は利用者関連情報とは異なる他の利用者関連情報を送出するステップと、利用者関連情報に基づき第３のサーバにおいて利用者に特化して抽出された利用者特化情報とは異なる他の利用者特化情報を、第１のサーバ又は第３のサーバから取得するステップと、コンテンツ情報と利用者特化情報と取得した他の利用者特化情報とを合成するステップとを更に有してもよい。【００１９】
このように構成することで、第２のサーバからの利用者特化情報と第３のサーバからの他の利用者特化情報とを取得することができ、より一層利用者に適した情報を取得することができる。利用者特化情報と、それとは異なる他の利用者特化情報との両方を取得し、より多くの特化情報に基づき一層有益な情報を利用者に提供することができる。また、多くの特化情報の中から、より一層利用者にとって有益であると判断しうる情報を選別してその選別された情報のみを利用者に提供してもよい。特化情報が多いほど、その有益性を高めることができる。【００２０】
利用者関連情報が、利用者により指定された位置情報であってもよい。利用者の位置情報に基づき、その利用者に最適な利用者特化情報を取得して利用者に提供することができる。例えば、利用者の現在位置の近隣に所在する店舗の広告情報を利用者特化情報として取得したり、利用者の目的地の近隣に所在する店舗の広告情報を利用者特化情報として取得したりすることができる。【００２１】
本発明の他の例示的側面としての情報取得システムは、利用者による第１のサーバへのアクセスに基づき第１のサーバより送出されると共に第１のサーバとは異なる第２のサーバを指標するサーバ指標情報を、第１のサーバから取得するサーバ指標情報取得部と、サーバ指標情報に基づき、第２のサーバに向けて利用者に関連する利用者関連情報を送出する利用者関連情報送出部と、利用者関連情報に基づき第２のサーバにおいて利用者に特化して抽出された利用者特化情報を、第１のサーバ又は第２のサーバから取得する利用者特化情報取得部とを有する。【００２２】
サーバ指標情報に基づき第２のサーバに向けて利用者関連情報を送出し、その利用者関連情報に基づき抽出された利用者特化情報を第１又は第２のサーバから取得するので、利用者側で個人情報等の利用者関連情報を管理しつつ外部（第１のサーバ又は第２のサーバ。）側から利用者特化情報を受け取ることができる。外部側で利用者関連情報を管理しないで済むので、利用者関連情報の管理を利用者側で適正に行うことができる。その上、外部側から利用者に最適な情報を受け取ることもできる。【００２３】
その情報取得システムが、利用者による第１のサーバへのアクセスに基づき第１のサーバより送出されるコンテンツ情報を取得するコンテンツ情報取得部と、取得したコンテンツ情報と取得した利用者特化情報とを合成する情報合成部とを更に有してもよい。【００２４】
第１のサーバからのコンテンツ情報と利用者特化情報とを合成するので、例えば、利用者が使用する通信端末の表示画面等にコンテンツ情報と利用者特化情報とを同時的に混在表示させることができる。例えば、第１のサーバがニュース配信サーバ、コンテンツ情報がニュース情報であり、利用者特化情報が、利用者関連情報に基づいて抽出された広告情報である場合、通信端末の表示画面に利用者に最適な広告情報とニュース記事とを混在表示させることができる。【００２５】
第１のサーバへ利用者特化情報を送出することなく、利用者に最適な利用者特化情報とコンテンツ情報とを合成して表示させることができる。したがって、第１のサーバから利用者関連情報が流出する虞がない。【００２６】
本発明の更に他の例示的側面としての情報取得プログラムは、コンピュータを、利用者による第１のサーバへのアクセスに基づき第１のサーバより送出されると共に第１のサーバとは異なる第２のサーバを指標するサーバ指標情報を、第１のサーバから取得するサーバ指標情報取得部、サーバ指標情報に基づき、第２のサーバに向けて利用者に関連する利用者関連情報を送出する利用者関連情報送出部、及び、利用者関連情報に基づき第２のサーバにおいて利用者に特化して抽出された利用者特化情報を、第１のサーバ又は第２のサーバから取得する利用者特化情報取得部、として機能させる。【００２７】
サーバ指標情報に基づき第２のサーバに向けて利用者関連情報を送出し、その利用者関連情報に基づき抽出された利用者特化情報を第１又は第２のサーバから取得するので、利用者側で個人情報等の利用者関連情報を管理しつつ外部（第１のサーバ又は第２のサーバ。）側から利用者特化情報を受け取ることができる。外部側で利用者関連情報を管理しないで済むので、利用者関連情報の管理を利用者側で適正に行うことができる。その上、外部側から利用者に最適な情報を受け取ることもできる。【００２８】
その情報取得プログラムが、コンピュータを、利用者による第１のサーバへのアクセスに基づき第１のサーバより送出されるコンテンツ情報を取得するコンテンツ情報取得部、及び、取得したコンテンツ情報と取得した利用者特化情報とを合成する情報合成部、として更に機能させてもよい。【００２９】
第１のサーバからのコンテンツ情報と利用者特化情報とを合成するので、例えば、利用者が使用する通信端末の表示画面等にコンテンツ情報と利用者特化情報とを同時的に混在表示させることができる。例えば、第１のサーバがニュース配信サーバ、コンテンツ情報がニュース情報であり、利用者特化情報が、利用者関連情報に基づいて抽出された広告情報である場合、通信端末の表示画面に利用者に最適な広告情報とニュース記事とを混在表示させることができる。【００３０】
第１のサーバへ利用者特化情報を送出することなく、利用者に最適な利用者特化情報とコンテンツ情報とを合成して表示させることができる。したがって、第１のサーバから利用者関連情報が流出する虞がない。【００３１】
本発明の更なる目的又はその他の特徴は、以下添付図面を参照して説明される好ましい実施の形態によって明らかにされるであろう。
【発明の効果】
【００３２】
本発明によれば、利用者側で利用者関連情報を管理することができるので、外部の情報管理状況の不備によって利用者関連情報が流出する虞を低減することができる。利用者関連情報を利用者側で管理しつつ外部のサーバから利用者に特化された最適な各種情報を取得することができる。外部のサーバから取得したコンテンツ情報と利用者特化情報とを合成して通信端末の表示画面等に混在表示させることもできる。また、複数の外部のサーバから各々異なる利用者特化情報を取得したり、それらの複数の利用者特化情報の中から利用者により一層適した情報を選別して利用者に対して提供することもできる。
【発明を実施するための形態】
【００３３】
［実施の形態１］
以下、本発明の実施の形態１に係る情報取得システムＳ１について図面を用いて説明する。図１は、この情報取得システムＳ１を利用したニュース配信システムＳの全体構成を示すブロック図である。このニュース配信システムＳは、例えば、ニュース配信サーバ（第１のサーバ）２、広告提供サーバ（第２のサーバ）４、利用者Ｕが使用する通信端末としての利用者コンピュータ６がインターネットＷに接続されて構成されている。
【００３４】
ここで、通信端末は、有線通信端末及び無線通信端末を含む。例えば、インターネットＷに接続された家庭用パーソナルコンピュータとしての利用者コンピュータ６の他、ＬＡＮを介してインターネットＷに接続された企業内コンピュータ、無線ＬＡＮを利用してインターネットＷに接続された無線通信コンピュータ、インターネット接続機能を備えた携帯電話機等が通信端末に該当する。
【００３５】
ニュース配信サーバ２は、利用者Ｕからのアクセスに応じて利用者コンピュータ６に向けてニュース情報（コンテンツ情報）８を送信するためのコンピュータサーバである。ニュース配信サーバ２は、図２に示すように、内部にＣＰＵ２ａと記憶装置２ｂとを有しており、その記憶装置２ｂにはニュース配信プログラムＰａとニュース情報８とが格納されている。ニュース配信プログラムＰａはＣＰＵ２ａをニュース情報送出部２ｃ及びサーバ指標情報送出部２ｄとして機能させる。
【００３６】
ニュース情報送出部２ｃは、ニュース配信サーバ２がインターネットＷを介して利用者コンピュータ６からニュース情報要求信号１０を取得すると、利用者コンピュータ６に向けてニュース情報８を送出する機能を有する。サーバ指標情報送出部２ｄは、ニュース配信サーバ２がインターネットＷを介して利用者コンピュータ６からニュース情報要求信号１０を取得すると、利用者コンピュータ６に向けてサーバ指標情報１２を送出する機能を有する。そのサーバ指標情報１２は、広告提供サーバ４を指標する情報である。
【００３７】
したがって、ニュース配信サーバ２は、利用者コンピュータ６からニュース情報要求信号１０を取得すると、その利用者コンピュータ６に向けて広告提供サーバ４を指標するサーバ指標情報１２をニュース情報８と共に送出することができる。このサーバ指標情報１２を取得することにより、利用者コンピュータ６は、利用者関連情報１４の送出先としての広告提供サーバ４を特定することができるようになっている。
【００３８】
広告提供サーバ４は、利用者Ｕに対して広告情報１６を提供するためのサーバコンピュータである。広告提供サーバ４は、図３に示すように、内部にＣＰＵ４と記憶装置４ｂとを有しており、その記憶装置４ｂには広告提供プログラムＰｂと多数の広告情報１６とが格納されている。広告提供プログラムＰｂはＣＰＵ４ａを広告情報抽出部４ｃ及び広告情報送出部４ｄとして機能させる。
【００３９】
広告情報抽出部４ｃは、広告提供サーバ４がインターネットＷを介して利用者コンピュータ６から利用者関連情報１４を取得すると、その利用者関連情報１４に基づき多数の広告情報１６の中から利用者Ｕに特化した広告情報（利用者特化情報）１６ａ〜１６ｃを抽出する機能を有する。広告情報送出部４ｄは、広告提供サーバ４がインターネットＷを介して利用者コンピュータ６から広告情報要求信号１８を取得すると、利用者コンピュータ６に向けて広告情報１６ａ〜１６ｃを送出する機能を有する。
【００４０】
したがって、広告提供サーバ４は、利用者コンピュータ６から利用者関連情報１４及び広告情報要求信号１８を取得すると、その利用者コンピュータ６に向けて利用者Ｕに特化されて利用者Ｕに適した広告情報１６ａ〜１６ｃを送出することができる。利用者Ｕは、利用者Ｕに特化された広告情報１６ａ〜１６ｃを提供されることにより、それらの広告情報１６ａ〜１６ｃに強く興味を惹かれることとなる。結果的に、広告情報１６ａ〜１６ｃの広告効果が向上する。
【００４１】
なお、利用者関連情報１４がない場合に広告情報抽出部４ｃが多数の広告情報１６の中から送信すべき広告情報を任意に抽出し、広告情報送出部４ｄがその広告情報を送出するものであってもよい。
【００４２】
ここで、利用者関連情報１４が、例えば利用者Ｕの年齢、性別、趣味、購入履歴等の情報である場合は、これらに基づき、利用者Ｕと同年齢層の者に人気のある商品、同じ性別の者に人気のある商品、同じ趣味の者に人気のある商品、過去に購入した商品等に関係のある商品の広告情報１６ａ〜１６ｃが抽出されて利用者コンピュータ６へと送出されてもよい。また、利用者関連情報１４が、例えば利用者Ｕの住所、現在位置、利用者Ｕによって指定された場所等の情報である場合は、これらに基づき、その位置情報が指標する位置の近隣に所在する店舗の広告情報１６ａ〜１６ｃが抽出されて利用者コンピュータ６へと送出されてもよい。
【００４３】
利用者コンピュータ６は、利用者Ｕが使用するコンピュータであり、インターネットＷを介してニュース配信サーバ２、広告提供サーバ４と情報送受信可能とされている。利用者コンピュータ６は、図４に示すように、内部にＣＰＵ（コンピュータの主要部）６ａと記憶装置６ｂとを有しており、その記憶装置６ｂには情報取得プログラムＰｃと利用者関連情報１４とが格納されている。この情報取得プログラムＰｃの指令に基づいてＣＰＵ６ａがニュース情報要求信号送出部６ｃ、ニュース情報取得部（コンテンツ情報取得部）６ｄ、サーバ指標情報取得部６ｅ、広告情報要求信号送出部６ｆ、利用者関連情報送出部６ｇ、広告情報取得部（利用者特化情報取得部）６ｈ、情報合成部６ｉとして機能し、利用者コンピュータ６は情報取得システムＳ１としての機能を発揮することとなる。
【００４４】
ニュース情報要求信号送出部６ｃは、アクセス先のニュース配信サーバ２に向けてコンテンツ情報としてのニュース情報要求信号１０を送出する機能を有する。利用者Ｕが利用者コンピュータ６を用いてニュース情報を閲覧しようとした場合、インターネットＷを介してニュース配信サーバ２へとアクセスする。そのアクセスに基づき、利用者コンピュータ６からニュース配信サーバ２に向けてニュース情報要求信号１０が送出されるのである。
【００４５】
ニュース情報取得部６ｄは、アクセス先のニュース配信サーバ２から送出されたニュース情報８を取得する機能を有する。そのニュース情報８は、例えば図５に示すように、利用者コンピュータ６の表示画面２０上に区画されたニュース情報表示枠２０ａに列挙表示されるようになっている。
【００４６】
サーバ指標情報取得部６ｅは、アクセス先のニュース配信サーバ２から送出されたサーバ指標情報１２を取得する機能を有する。そして、そのサーバ指標情報１２に基づき、利用者関連情報１４の送出先としての広告提供サーバ４を特定する。
【００４７】
広告情報要求信号送出部６ｆは、サーバ指標情報１２によって特定された広告提供サーバ４に向けて広告情報要求信号１８を送出する機能を有する。
【００４８】
利用者関連情報送出部６ｇは、記憶装置６ｂの中から利用者関連情報１４を抽出し、その広告提供サーバ４に向けて利用者関連情報１４を送出する機能を有する。利用者関連情報１４は、利用者の個人情報（例えば、住所、氏名、年齢、性別等。）、決済情報、位置情報、趣味に関する情報、購入履歴情報等であってもよい。これらのすべての情報が、又はこれらのうちの一部の情報が利用者関連情報送出部６ｇによって広告提供サーバ４に向けて送出される。
【００４９】
広告情報取得部６ｈは、広告提供サーバ４において利用者Ｕに特化して抽出された広告情報１６ａ〜１６ｃを取得する機能を有する。本実施の形態１においては、広告提供サーバ４から広告情報１６ａ〜１６ｃが取得されるが、広告情報１６ａ〜１６ｃが一旦広告提供サーバ４からニュース配信サーバ２へと送出されることにより、ニュース配信サーバ２から広告情報１６ａ〜１６ｃが取得されるようになっていてもよい。
【００５０】
情報合成部６ｉは、ニュース情報８と広告情報１６ａ〜１６ｃとを合成する機能を有する。ニュース配信サーバ２から取得したニュース情報８と広告提供サーバ４から取得した広告情報１６ａ〜１６ｃとが合成されるので、図５に示すように、ニュース情報表示枠２０ａにニュース情報８を表示しつつ表示画面２０上に区画された広告表示枠２０ｂに広告情報１６ａ〜１６ｃを表示することができる。利用者Ｕは、利用者コンピュータ６の表示画面２０上でニュースを読みつつ、自らに特化して抽出されたことにより興味を強く惹き付けられる広告情報１６ａ〜１６ｃの提供を受けることができる。
【００５１】
［実施の形態２］
図６は、本発明の実施の形態２に係る情報取得システムＳ２を利用した商品提案システムＳ’の全体構成を示すブロック図である。この商品提案システムＳ’は、例えば、書籍販売サーバ（第１のサーバ）１０２、家電製品販売サーバ（第２のサーバ）１０４、利用者コンピュータ６がインターネットＷに接続されて構成されている。なお、本実施の形態２において、実施の形態１と同様の構成については同様の符号を付し、その説明を省略する。
【００５２】
利用者コンピュータ６内の記憶装置６ｂには、書籍販売サーバ１０２にログインするためのログイン情報（利用者関連情報）１０２ａと、家電製品販売サーバ１０４にログインするためのログイン情報（利用者関連情報）１０４ａとが格納されている。各ログイン情報１０２ａ，１０４ａは、各々ログインＩＤとパスワードとを有して構成されていてもよい。また、これらの各ログイン情報１０２ａ，１０４ａは、互いに全く異なる情報であってもよい。
【００５３】
書籍販売サーバ１０２は、内部に記憶装置（不図示）を有しており、その記憶装置には利用者Ｕの登録情報と書籍購入履歴情報１０２ｂとが格納されている。この書籍購入履歴情報１０２ｂは、利用者Ｕがこの書籍販売サーバ１０２を利用して購入した過去の書籍購入履歴を示す情報である。
【００５４】
利用者Ｕが利用者コンピュータ６によって書籍販売サーバ１０２にアクセスし、書籍販売サーバ１０２用のログイン情報１０２ａを書籍販売サーバ１０２に向けて送出すると書籍販売サーバ１０２へのログインが行われ、図７に示すように、書籍販売サーバ１０２内に構築された書籍販売サイトのサイトページ（コンテンツ情報）が利用者コンピュータ６の表示画面２０に表示される。その際、利用者Ｕが過去に購入した書籍の情報（書籍購入履歴情報）１０２ｂも表示画面２０に表示される。
【００５５】
そのログインに伴い、書籍販売サーバ１０２から家電製品販売サーバ１０４を指標するサーバ指標情報１２が利用者コンピュータ６に向けて送出される。利用者コンピュータ６は、サーバ指標情報１２を受け取ると、記憶装置６ｂ内に格納する利用者関連情報１４の中から家電製品販売サーバ１０４用のログイン情報１０４ａを抽出し、そのログイン情報１０４ａを家電製品販売サーバ１０４に向けて送出する。
【００５６】
家電製品販売サーバ１０４は、内部に記憶装置（不図示）を有しており、その記憶装置には利用者Ｕの登録情報と家電製品購入履歴情報（利用者特化情報）１０４ｂとが格納されている。この家電製品購入履歴情報１０４ｂは、利用者Ｕがこの家電製品販売サーバ１０４を利用して購入した過去の家電製品の購入履歴を示す情報である。
【００５７】
利用者コンピュータ６からログイン情報１０４ａを取得すると、家電製品販売サーバ１０４はそのログインに基づき、利用者Ｕの家電製品購入履歴情報１０４ｂを書籍販売サーバ１０２に向けて送出する。ログイン情報１０２ａ，１０４ａが各々異なる情報とされているので、書籍販売サーバ１０２における登録情報と家電製品販売サーバ１０４における登録情報とがいずれも同一人物（利用者Ｕ）の登録情報であることが両サーバ１０２，１０４共に認識されないようになっている。そして、家電製品販売サーバ１０４から書籍販売サーバ１０２へと家電製品購入履歴情報１０４ｂが送出されるものの登録情報が送出されないので、両サーバ１０２，１０４ともそれぞれ他方のサーバ１０４，１０２が格納する利用者Ｕの登録情報を把握することができないようになっている。
【００５８】
書籍販売サーバ１０２は、自身が有する書籍購入履歴情報１０２ｂと家電製品販売サーバ１０４から取得した家電製品購入履歴情報１０４ｂとに基づき、利用者Ｕへのお勧め書籍情報（利用者特化情報）１０６を抽出し、利用者コンピュータ６へ向けて送出する。それにより、利用者コンピュータ６の表示画面２０に表示された書籍販売サイトページには、書籍購入履歴情報１０２ｂと共にお勧め書籍情報１０６も表示される（図７参照）。
【００５９】
なお、書籍販売サーバ１０２へのログイン後に利用者コンピュータ６の表示画面２０に書籍販売サイトのサイトページや書籍購入履歴情報１０２ｂが表示されるタイミングと、表示画面２０にお勧め書籍情報１０６が表示されるタイミングとは各々適宜設定可能である。例えば、サイトページの内容、書籍購入履歴情報１０２ｂ、お勧め書籍情報１０６が書籍販売サーバ１０２から同時に利用者コンピュータ６に向けて送出され、それらが同時に利用者コンピュータ６の表示画面２０に表示されるように構成されていてもよい。
【００６０】
お勧め書籍情報１０６は、書籍購入履歴情報１０２ｂのみならず家電製品購入履歴情報１０４ｂにも基づいて抽出されている。したがって、例えば、利用者Ｕが過去に購入した家電製品に関連する書籍の情報がお勧め書籍情報１０６として表示される。書籍販売サーバ１０２において過去に購入した書籍の情報だけでなく、他のサーバ（家電製品販売サーバ１０４）において過去に購入した製品の情報が考慮されてお勧め書籍情報１０６が抽出されるので、利用者Ｕの嗜好を多面的に考慮したお勧め書籍情報１０６を利用者Ｕに対して提供することができる。
【００６１】
［実施の形態３］
図８は、本発明の実施の形態３に係る情報取得システムＳ３を利用した情報登録システムＳ”の全体構成を示すブロック図である。この情報登録システムＳ”は、例えば、ソーシャルネットワーキングシステム（以下、ＳＮＳという。）サーバ（第１のサーバ）２０２、動画配信サーバ（第２のサーバ）２０４、インターネットショップサーバ（第３のサーバ）２０６、利用者コンピュータ６がインターネットＷに接続されて構成されている。なお、本実施の形態３において、実施の形態１，２と同様の構成については同様の符号を付し、その説明を省略する。
【００６２】
利用者コンピュータ６内の記憶装置６ｂには、動画配信サーバ２０４にログインするためのログイン情報（利用者関連情報）２０４ａと、インターネットショップサーバ２０６にログインするためのログイン情報（利用者関連情報）２０６ａとが格納されている。各ログイン情報２０４ａ，２０６ａは、各々ログインＩＤとパスワードとを有して構成されていてもよい。また、これらの各ログイン情報２０４ａ，２０６ａは、互いに全く異なる情報であってもよい。
【００６３】
動画配信サーバ２０４は、内部に記憶装置（不図示）を有している。利用者Ｕは、予めこの動画配信サーバ２０４が提供する動画配信サービスに登録しており、動画配信サーバ２０４の記憶装置には利用者Ｕの登録情報としての電子メールアドレス情報（利用者特化情報）２０４ｂが格納されている。この電子メールアドレス情報２０４ｂは、利用者Ｕがログイン情報２０４ａを用いて動画配信サーバ２０４にログインすることによって、動画配信サーバ２０４から利用者コンピュータ６に向けて送出可能とされている。
【００６４】
インターネットショップサーバ２０６は、内部に記憶装置（不図示）を有している。利用者Ｕは、予めこのインターネットショップサーバ２０６が提供する販売サービスに登録しており、インターネットショップサーバ２０６の記憶装置には利用者Ｕの登録情報としての氏名情報（利用者特化情報）２０６ｂ及び住所情報（利用者特化情報）２０６ｃが格納されている。この氏名情報２０６ｂ及び住所情報２０６ｃは、利用者Ｕがログイン情報２０６ａを用いてインターネットショップサーバ２０６にログインすることによって、インターネットショップサーバ２０６から利用者コンピュータ６に向けて送出可能とされている。
【００６５】
ＳＮＳサーバ２０２は、利用者Ｕに対してソーシャルネットワーキングサービスを提供するためのＳＮＳサイトが内部に構築されたサーバコンピュータである。図９に、利用者ＵがこのＳＮＳサイトの利用を開始するにあたり、自身の各種情報を登録するための登録画面２０２ｒの例を示す。登録画面２０２ｒは、ＳＮＳサーバ２０２にアクセスした利用者コンピュータ６の表示画面２０上に表示される。この登録画面２０２ｒには、利用者Ｕの氏名、住所、電子メールアドレスを入力するための氏名入力欄２０２ａ、住所入力欄２０２ｂ、電子メールアドレス入力欄２０２ｃが配置されている。そして、これらの各入力欄２０２ａ〜２０２ｃに利用者Ｕが氏名情報２０６ｂ、住所情報２０６ｃ、電子メールアドレス情報２０４ｂを入力することにより、ＳＮＳサイトへの登録が行われるようになっている。
【００６６】
登録画面２０２ｒには、情報取得ボタン２０２ｄも配置されている。この情報取得ボタン２０２ｄを選択（マウスクリック）することにより、動画配信サーバ２０４から電子メールアドレス情報２０４ｂが取得され、インターネットショップサーバ２０６から氏名情報２０６ｂ及び住所情報２０６ｃが取得されて、利用者Ｕがわざわざ手入力することなくこれらの情報が自動的に登録画面の各入力欄２０２ａ〜２０２ｃに入力される。以下、この登録手順について説明する。
【００６７】
利用者Ｕが利用者コンピュータ６によってＳＮＳサーバ２０２にアクセスし、登録画面２０２ｒの表示を要求する登録画面表示要求信号２０７を送出すると、ＳＮＳサーバ２０２から利用者コンピュータ６に向けて登録画面２０２ｒの内容を指標する登録画面情報（コンテンツ情報）２０２ｓが送出される。そして、利用者Ｕが登録画面２０２ｒの情報取得ボタン２０２ｄを選択すると、情報取得ボタン２０２ｄを選択したことを指標するボタン選択情報２０２ｅが利用者コンピュータ６からＳＮＳサーバ２０２に向けて送出される。
【００６８】
ボタン選択情報２０２ｅを取得すると、ＳＮＳサーバ２０２は利用者コンピュータに向けて、動画配信サーバ２０４を指標するサーバ指標情報２１２ａ及びインターネットショップサーバ２０６を指標するサーバ指標情報２１２ｂを送出する。
【００６９】
利用者コンピュータ６は、サーバ指標情報２１２ａ，２１２ｂを取得すると、動画配信サーバ２０４に向けてログイン情報２０４ａを送出し、インターネットショップサーバ２０６に向けてログイン情報２０６ａを送出する。そして、利用者コンピュータ６は、動画配信サーバ２０４から利用者特化情報として利用者Ｕの電子メールアドレス情報２０４ｂを取得し、インターネットショップサーバ２０６から利用者特化情報として利用者Ｕの氏名情報２０６ｂ及び住所情報２０６ｃを取得する。そして、これらの氏名情報２０６ｂ、住所情報２０６ｃ、電子メールアドレス情報２０４ｂが、各々利用者コンピュータ６に表示されている登録画面２０２ｒの氏名入力欄２０２ａ、住所入力欄２０２ｂ、電子メールアドレス入力欄２０２ｃに自動的に入力される。
【００７０】
ＳＮＳサーバ２０２が氏名情報２０６ｂ、住所情報２０６ｃ、電子メールアドレス情報２０４ｂを保持していなくても、他のサーバ（動画配信サーバ２０４及びインターネットショップサーバ２０６。）からこれらの情報を収集することにより登録画面２０２ｒの各入力欄２０２ａ〜２０２ｃにこれらが自動入力されるので、ＳＮＳサイトへの登録を簡便に行うことができる。その動画配信サーバ２０４用のログイン情報２０４ａやインターネットショップサーバ２０６用のログイン情報２０６ａは利用者コンピュータ６内に保持され管理されているので、利用者Ｕの意図に反して他サーバから外部へとこれらが流出する虞がない。また、動画配信サーバ２０４が保持する電子メールアドレス情報２０４ｂとインターネットショップサーバ２０６が保持する氏名情報２０６ｂ及び住所情報２０６ｃとを共に収集することにより、これらの情報２０４ｂ，２０６ｂ，２０６ｃのすべてを必要とするＳＮＳサイトへの登録を簡便に行うことができる。
【００７１】
以上、本発明の好ましい実施の形態を説明したが、本発明はこれらに限定されるものではなく、その要旨の範囲内で様々な変形や変更が可能である。
【図面の簡単な説明】
【００７２】
【図１】本発明の実施の形態１に係る情報取得システムを利用したニュース配信システムの全体構成を示すブロック図である。
【図２】図１に示すニュース配信サーバの内部構成を示すブロック図である。
【図３】図１に示す広告提供サーバの内部構成の概略を示すブロック図である。
【図４】図１に示す利用者コンピュータの内部構成の概略を示すブロック図である。
【図５】図４に示す利用者コンピュータにおけるニュース情報の画面表示例である。
【図６】本発明の実施の形態２に係る情報取得システムを利用した商品提案システムの全体構成を示すブロック図である。
【図７】図６に示す利用者コンピュータにおける書籍販売サイトページの画面表示例である。
【図８】本発明の実施の形態３に係る情報取得システムを利用した情報登録システムの全体構成を示すブロック図である。
【図９】図８に示す利用者コンピュータにおける登録画面の画面表示例である。
【符号の説明】
【００７３】
Ｐａ：ニュース配信プログラム
Ｐｂ：広告提供プログラム
Ｐｃ：情報取得プログラム
Ｓ：ニュース配信システム
Ｓ’：商品提案システム
Ｓ”：情報登録システム
Ｓ１，Ｓ２，Ｓ３：情報取得システム
Ｕ：利用者
Ｗ：インターネット
２：ニュース配信サーバ（第１のサーバ）
２ａ，４ａ：ＣＰＵ
２ｂ，４ｂ，６ｂ：記憶装置
２ｃ：ニュース情報送出部
２ｄ：サーバ指標情報送出部
４：広告提供サーバ（第２のサーバ）
４ｃ：広告情報抽出部
４ｄ：広告情報送出部
６：利用者コンピュータ（通信端末）
６ａ：ＣＰＵ（コンピュータの主要部）
６ｃ：ニュース情報要求信号送出部
６ｄ：ニュース情報取得部（コンテンツ情報取得部）
６ｅ：サーバ指標情報取得部
６ｆ：広告情報要求信号送出部
６ｇ：利用者関連情報送出部
６ｈ：広告情報取得部（利用者特化情報取得部）
６ｉ：情報合成部
８：ニュース情報（コンテンツ情報）
１０：ニュース情報要求信号
１２：サーバ指標情報
１４：利用者関連情報
１６：広告情報
１６ａ〜１６ｃ：広告情報（利用者特化情報）
１８：広告情報要求信号
２０：表示画面
２０ａ：ニュース情報表示枠
２０ｂ：広告表示枠
１０２：書籍販売サーバ（第１のサーバ）
１０２ａ，１０４ａ：ログイン情報（利用者関連情報）
１０２ｂ：書籍購入履歴情報（利用者特化情報）
１０４：家電製品販売サーバ（第２のサーバ）
１０４ｂ：家電製品購入履歴情報（利用者特化情報）
１０６：お勧め書籍情報（利用者特化情報）
２０２：ソーシャルネットワーキングサーバ（第１のサーバ）
２０２ａ：氏名入力欄
２０２ｂ：住所入力欄
２０２ｃ：電子メールアドレス入力欄
２０２ｄ：情報取得ボタン
２０２ｅ：ボタン選択情報
２０２ｒ：登録画面
２０２ｓ：登録画面情報（コンテンツ情報）
２０４：動画配信サーバ（第２のサーバ）
２０４ａ，２０６ａ：ログイン情報（利用者関連情報）
２０４ｂ：電子メールアドレス情報（利用者特化情報）
２０６：インターネットショップサーバ（第３のサーバ）
２０６ｂ：氏名情報（利用者特化情報）
２０６ｃ：住所情報（利用者特化情報）
【図１】
2009057215.tif 000003
【図２】
2009057215.tif 000004
【図３】
2009057215.tif 000005
【図４】
2009057215.tif 000006
【図５】
2009057215.tif 000007
【図６】
2009057215.tif 000008
【図７】
2009057215.tif 000009
【図８】
2009057215.tif 000010
【図９】
2009057215.tif 000011
【国際調査報告】
2009057215.tif 000012
2009057215.tif 000013
2009057215.tif 000014
2009057215.tif 000015